(57)【要約】【課題】  利用者の存在の有無を認識して、自動的に照明器具の点灯および／または調光制御を行うにあたって、特に多灯で構成されるシステムで好適であり、利用者付近の比較的狭小な範囲を、適切に点灯および／または調光制御する。【解決手段】   従来では、熱線センサのように器具側がアクティブに検知を行ったり、リモコンなどで利用者がアクティブに存在を知らせたりすることがあったが、本発明では、照明器具Ｌに照明制御装置４を設け、この照明制御装置４からの探索信号に応答して、利用者が携帯するＩＤカード２が定期的に無線通信を行い、通信を行っている期間は、照明手段３をＩＤに応じて点灯および／または調光制御する。したがって、利用者が意識しないうちに、利用者側からアクティブとする信号を用いて制御するので、利用者の動きがなくても、また利用者が意識することなく、利用者の種類に応じた制御を行うことができる。【選択図】      図１
2005259430.tif 000002
【特許請求の範囲】
【請求項１】
照明器具に搭載され、または前記照明器具の近傍に設けられる受信制御手段と、携帯可能であって、前記受信制御手段と予め定める周期で定期的に無線通信を行う識別装置とを含んで構成され、前記受信制御手段は、前記識別装置と通信を行っている期間は、予め登録されているその識別装置の識別情報に応答して、照明手段を点灯および／または調光制御することを特徴とする照明器具。
【請求項２】
前記識別装置は、
該識別装置に固有の識別情報を記憶している第１の記憶手段と、
前記受信制御手段からの探索信号を受信する第１の受信手段と、
前記第１の受信手段で前記探索信号を受信すると、前記第１の記憶手段に記憶している識別情報を含めた探索返信信号を送信する第１の送信手段とを備えて構成されるＩＤカードから成り、
前記受信制御手段は、
前記予め定める周期で定期的に探索信号を送信する第２の送信手段と、
前記探索信号に応答した識別装置からの前記探索返信信号を受信する第２の受信手段と、
前記照明手段の点灯および／または調光制御を許容する識別装置の識別情報およびその識別情報に対応した制御内容を記憶している第２の記憶手段と、
前記第２の受信手段によって前記探索返信信号が受信されると、その受信された探索返信信号の識別情報を前記第２の記憶手段に記憶している識別情報と比較し、一致する場合には前記照明手段を対応する制御内容で点灯および／または調光制御する照明制御手段とを備えて構成されることを特徴とする請求項１記載の照明器具。
【請求項３】
人を感知する人感センサを備え、
前記人感センサで利用者の存在が検出されると、前記照明制御手段は、前記照明手段の点灯および／または調光制御を行うことを特徴とする請求項１または２記載の照明器具。
【請求項４】
前記受信制御手段において、設定手段をさらに備え、設定モードとなると、前記設定手段は、前記第２の受信手段で受信された識別情報を前記第２の記憶手段に記憶してゆくことを特徴とする請求項２または３記載の照明器具。
【請求項５】
前記受信制御手段は、他の照明器具との間で、受信した識別情報およびそれに応答した制御内容を表す制御信号をやりとりする器具間通信手段をさらに備え、
前記照明制御手段は、前記器具間通信手段で得られた制御信号に応答して、前記照明手段を点灯および／または調光制御することを特徴とする請求項３記載の照明器具。
【請求項６】
前記請求項５記載の照明器具を複数台備えて成ることを特徴とする照明制御システム。
【発明の詳細な説明】
【技術分野】
【０００１】
本発明は、照明手段の点灯および／または調光制御を行うことができる照明器具および照明制御システムに関する。
【背景技術】
【０００２】
利用者の存在の有無を認識して、照明器具の前記点灯および／または調光制御を行う手法としては、大略的に、熱線センサなどの人感センサを設けることで、器具側がアクティブに利用者の検知を行ったり、リモコンを用いて、利用者がアクティブに存在を知らせるという２つの手法が従来から用いられている。
【０００３】
たとえば、特許文献１には、或る照明器具の人感センサで人を検知すると、送信部から赤外線を送信し、受信した他の照明器具も照明手段を点灯することで、複数の照明器具で、アドレス設定および配線作業が不要な照明制御システムが提案されている。
【０００４】
また、特許文献２には、リモコンに照度センサと人感センサとを設けることで、複数の照明器具に人感センサを設けなくて済むようにした照明制御システムが提案されている。
【０００５】
さらにまた、特許文献３には、リモコンと照明器具との両方に送受信機能を持たせ、リモコン側からチャネル確認コードを送信すると、照明器具はその受信機のチャネル設定値を返信し、リモコン側で表示させ、そのチャネル設定値で制御信号を送信することで、設定用スイッチを設けることなく、受信チャネルの設定機能を持たせるようにしたリモコン付照明装置が提案されている。
【特許文献１】特許第３４３３６０８号公報
【特許文献２】特開平８−３１５７６号公報
【特許文献３】特開平７−１２２３６８号公報
【発明の開示】
【発明が解決しようとする課題】
【０００６】
上述の各従来技術では、確かに、利用者の存在の有無を認識して、照明器具の点灯および／または調光制御を行うことができる。しかしながら、前記人感センサを用いて、器具側がアクティブに検知を行う手法では、多少の遅延時間を設定できたとしても、利用者の動きがなくなると、利用者の存在を確認できず、消灯してしまう。このため、利用者が通過する廊下などでの用途や、防犯灯などの用途にしか使用できず、デスクワーク等の動きの少ない利用者を検知するためには、使用することができないという問題がある。
【０００７】
一方、前記リモコンを用いて、利用者がアクティブに存在を知らせる手法では、利用者が自発的に制御する必要があるので、消し忘れなどが生じたりして、適切に制御できないという問題がある。また、前記リモコンによって、フロア全体や一部のブロックが纏めて制御されるので、利用者付近だけというような狭小な範囲の制御が困難であるとともに、オフィスの模様替えなどによって制御対象の照明器具の組合わせが変わっても、一旦設置した後は、システムの組換えが困難であるという問題もある。
【０００８】
さらにまた、いずれの従来技術でも、利用者によらず、制御態様は一様である。具体的には、たとえば前記人感センサによって利用者が検知範囲外へ出たことが検知されると、それから一定時間の遅延時間が経過した後、消灯する。したがって、その部屋に所属する利用者が一時退室し、直ぐに戻ってきても照明器具は消灯しており、再び点灯させなければならず、このような場合には頻繁に点滅制御が行われ、器具に負担がかかるという問題がある。これに対して、部外の者が一時的に入室や通行した場合、再び戻ってくる可能性が少ないにも拘わらず、退出してから一定時間点灯したままとなる。このような場合には省エネルギ化が充分でないという問題がある。
【０００９】
本発明の目的は、利用者の動きがなくても、また利用者が意識することなく、利用者付近の比較的狭小な範囲を、適切に点灯および／または調光制御することができる照明器具および照明制御システムを提供することである。
【課題を解決するための手段】
【００１０】
本発明の照明器具は、照明器具に搭載され、または前記照明器具の近傍に設けられる受信制御手段と、携帯可能であって、前記受信制御手段と予め定める周期で定期的に無線通信を行う識別装置とを含んで構成され、前記受信制御手段は、前記識別装置と通信を行っている期間は、予め登録されているその識別装置の識別情報に応答して、照明手段を点灯および／または調光制御することを特徴とする。
【００１１】
上記の構成によれば、利用者の存在の有無を認識して、自動的に照明器具の点灯および／または調光制御を行うにあたって、照明器具自体またはその近傍に受信制御手段を設け、この受信制御手段からの探索信号に応答するなどして、利用者が携帯する識別装置は、定期的にこの受信制御手段と無線通信を行っており、前記受信制御手段は、前記識別装置と通信を行っている期間は、照明手段を点灯および／または調光制御する。前記点灯および／または調光制御とは、点灯／消灯のみの制御だけでもよく、さらに距離などを認識して輝度を制御（調光）することまで行ってもよく、または常時点灯状態で、利用者が存在する場合には輝度をアップする等の調光制御のみを行ってもよいことを示す。
【００１２】
そして、その制御内容は、識別装置から受信する識別情報に対応付けて、予め設定されている態様に切換えられる。たとえば、識別情報がその部屋に所属する者を表す場合には、前記識別情報が受信されなくなっても再び戻ってくる可能性が高いので、消灯するまでの遅延時間を長くすることで、頻繁な点滅を防止して照明器具側の負担を減らしたり、あるいは利用者にとって快適な（入室し易い）環境を実現したりすることができ、逆に前記識別情報が部外の者を表す場合には、一時的な入室や通行などで、用件を済ますと再び戻ってくる可能性が低いので、前記識別情報が受信されなくなると直ちに消灯させ、省エネルギ化を進めるという具合である。
【００１３】
したがって、利用者が意識しないうちに、利用者側からアクティブとする信号を用いて点灯および／または調光制御するので、利用者の動きがなくても、また利用者が意識することなく、該利用者の存在の有無を照明器具側で認識でき、利用者付近の比較的狭小な範囲を、適切に点灯および／または調光制御することができる。また、認識された利用者の種類などに応じて、より適切な点灯および／または調光制御を行うことができる。
【００１４】
また、本発明の照明器具では、前記識別装置は、該識別装置に固有の識別情報を記憶している第１の記憶手段と、前記受信制御手段からの探索信号を受信する第１の受信手段と、前記第１の受信手段で前記探索信号を受信すると、前記第１の記憶手段に記憶している識別情報を含めた探索返信信号を送信する第１の送信手段とを備えて構成されるＩＤカードから成り、前記受信制御手段は、前記予め定める周期で定期的に探索信号を送信する第２の送信手段と、前記探索信号に応答した識別装置からの前記探索返信信号を受信する第２の受信手段と、前記照明手段の点灯および／または調光制御を許容する識別装置の識別情報およびその識別情報に対応した制御内容を記憶している第２の記憶手段と、前記第２の受信手段によって前記探索返信信号が受信されると、その受信された探索返信信号の識別情報を前記第２の記憶手段に記憶している識別情報と比較し、一致する場合には前記照明手段を対応する制御内容で点灯および／または調光制御する照明制御手段とを備えて構成されることを特徴とする。
【００１５】
上記の構成によれば、前述のような利用者の動きがなくても、また利用者が意識することなく、該利用者の存在の有無を照明器具側で認識できるようにするにあたって、前記識別装置を、該識別装置に固有の識別情報を記憶している第１の記憶手段と、前記受信制御手段からの探索信号を受信する第１の受信手段と、前記第１の受信手段で前記探索信号を受信すると、前記第１の記憶手段に記憶している識別情報を含めた探索返信信号を作成して送信するとともに、好ましくは返信用の電力を作成する第１の送信手段とを備え、いわゆる無線タグの近距離無線通信技術を用いるＩＤカードとし、これに対応して前記受信制御手段を、前記予め定める周期で定期的に探索信号を送信する第２の送信手段と、前記探索信号に応答した識別装置からの前記探索返信信号を受信する第２の受信手段と、前記照明手段の点灯および／または調光制御を許容する識別装置の識別情報およびその識別情報に対応した制御内容を記憶している第２の記憶手段と、前記第２の受信手段によって前記探索返信信号が受信されると、その受信された探索返信信号の識別情報を前記第２の記憶手段に記憶している識別情報と比較し、一致する場合には前記照明手段を対応する制御内容で点灯および／または調光制御する照明制御手段とを備える。
【００１６】
したがって、前述のような利用者の動きがなくても、また利用者が意識することなく、該利用者の存在の有無を照明器具側で認識し、認識された利用者に対応した照明手段の点灯および／または調光制御を行うことができる構成を、具体的に実現することができる。
【００１７】
さらにまた、本発明の照明器具は、人を感知する人感センサを備え、前記人感センサで利用者の存在が検出されると、前記照明制御手段は、前記照明手段の点灯および／または調光制御を行うことを特徴とする。
【００１８】
上記の構成によれば、赤外線などで人を感知する人感センサをさらに組合わせることで、該センサで利用者の存在が検出されると、前記照明制御手段は、前記照明手段の点灯および／または調光制御を行う。
【００１９】
したがって、前記識別装置を携帯していない利用者が接近してきても、従来から用いられている構成と同様に、自動的に点灯制御を行うことができる。これによって、前記識別装置を携帯していない利用者の利便性を損なうことなく、前記識別装置を携帯している利用者には、意識させずに、適切な制御を行うことができるようになる。
【００２０】
また、本発明の照明器具では、前記受信制御手段において、設定手段をさらに備え、設定モードとなると、前記設定手段は、前記第２の受信手段で受信された識別情報を前記第２の記憶手段に記憶してゆくことを特徴とする。
【００２１】
上記の構成によれば、前記受信制御手段において、設定手段を設け、たとえば照明器具に設けた設定スイッチの操作や前記識別装置からの設定モード信号の送信などによって設定モードに切換えられるようにしておき、設定モードとなると、該設定手段は、前記第２の受信手段で受信された識別情報を前記第２の記憶手段に記憶してゆく。このときに多くの識別装置の識別情報をグループ分けして受信・記憶することで、グループ毎に対応した態様の制御が可能になる。
【００２２】
したがって、前記探索信号を受信し、返信した探索返信信号が前記第２の受信手段でエラーなく受信される位置に識別装置を集めておき、設定モードにすることで、受信制御手段側では総ての識別装置の識別情報が、順に第２の記憶手段に登録されてゆくので、識別情報の登録作業が容易である。その後、登録された識別装置を各利用者に配布すればよい。
【００２３】
さらにまた、本発明の照明器具では、前記受信制御手段は、他の照明器具との間で、受信した識別情報およびそれに応答した制御内容を表す制御信号をやりとりする器具間通信手段をさらに備え、前記照明制御手段は、前記器具間通信手段で得られた制御信号に応答して、前記照明手段を点灯および／または調光制御することを特徴とする。
【００２４】
上記の構成によれば、総ての照明器具の受信制御手段が利用者の携帯する識別装置との間で通信が可能になる可能性は少ないので、照明器具が探索返信信号を受信し、対応した制御内容が決定すると、受信した識別情報と共に、制御信号を器具間通信手段を通して他の照明器具に送信し、点灯および／または調光制御を行う。前記器具間通信手段は、近距離無線通信手段や、電力線通信手段などで実現される。
【００２５】
したがって、全体の照明器具の制御を統括する手段を設けなくても、分散している各照明器具の内、前記識別情報を受信できた照明器具から連携して、適切に点灯および／または調光制御を行うことができる。
【００２６】
また、本発明の照明制御システムは、前記の照明器具を複数台備えて成ることを特徴とする。
【００２７】
上記の構成によれば、前記器具間通信手段を用いて、他の照明器具との間で連携して、前記のような利用者付近の比較的狭小な範囲を、適切に点灯および／または調光制御することができる照明制御システムを実現することができる。
【発明の効果】
【００２８】
本発明の照明器具は、以上のように、利用者の存在の有無を認識して、自動的に照明器具の点灯および／または調光制御を行うにあたって、照明器具自体またはその近傍に受信制御手段を設け、この受信制御手段からの探索信号に応答するなどして、利用者が携帯する識別装置は、定期的にこの受信制御手段と無線通信を行っており、前記受信制御手段は、前記識別装置と通信を行っている期間は、照明手段を、利用者の種類などに応じて点灯および／または調光制御する。
【００２９】
それゆえ、利用者が意識しないうちに、利用者側からアクティブとする信号を用いて点灯および／または調光制御するので、利用者の動きがなくても、また利用者が意識することなく、該利用者の存在の有無を照明器具側で認識でき、利用者付近の比較的狭小な範囲を、適切に点灯および／または調光制御することができる。また、認識された利用者の種類などに応じて、より適切な点灯および／または調光制御を行うことができる。
【００３０】
また、本発明の照明制御システムは、以上のように、器具間通信手段を備える前記の照明器具を複数台備えて成る。
【００３１】
それゆえ、前記器具間通信手段を用いて、他の照明器具との間で連携して、前記自律分散型のネットワークを構築し、前記のような利用者付近の比較的狭小な範囲を、適切に点灯および／または調光制御することができる照明制御システムを実現することができる。
【発明を実施するための最良の形態】
【００３２】
［実施の形態１］
図１は、本発明の実施の一形態に係る照明制御システムの電気的構成を示すブロック図である。この照明制御システムは、大略的に、多数の照明器具Ｌ１，Ｌ２，‥（総称するときは、以下参照符号Ｌで示す）が、通信路１によって相互に接続されるとともに、その照明器具Ｌが、識別装置であるＩＤカード２と通信を行うことで、点灯および調光制御を行うように構成されている。各照明器具Ｌには、図示しない電源線によって電力供給が行われる。各照明器具Ｌは、放電灯やランプなどの照明手段３に、その点灯制御を行い、受信制御手段である照明制御装置４を備えて構成される。
【００３３】
前記ＩＤカード２は、利用者によって携帯され、たとえば図２で示すような外観形状を有する名札状のＩＤカードから成り、図３で示すように構成されている。すなわち、FlashROMなどの不揮発性メモリおよびその周辺回路などから成る記憶部１１と、マイクロコンピュータおよびその周辺回路などから成る処理部１２と、たとえば１３．５６ＭＨｚや１３．７５ＭＨｚの無線タグの無線通信技術などを用いて構成される送信部１４および電波受信部１５とを備えて構成される。
【００３４】
一方、前記各照明器具Ｌは、たとえば図４で示すような外観形状を有し、前記照明制御装置４は、図５で示すように構成されている。すなわち、FlashROMなどの不揮発性メモリおよびその周辺回路などから成る記憶部２１と、マイクロコンピュータおよびその周辺回路などから成り、前記記憶部２１に保存されたプログラムを読出して実行する処理部２２と、前記照明手段３の点灯／消灯を制御することができるとともに輝度を変化させることができる照明制御部２３と、前記無線タグの無線通信技術などを用いて構成される送信部２４および電波受信部２５と、電力線通信やBluetooth（登録商標）等の近距離無線通信技術などを用いて構成され、前記通信路１を介して他の照明器具と通信を行う通信部２７と、熱線センサなどから成る人感センサ２８とを備えて構成される。
【００３５】
照明制御手段である処理部２２は、人感センサ２８からの出力に応答して、人の存在が検知されたときには、前記照明制御部２３を介して照明手段３を点灯制御する。また、処理部２２は、大略的に、後述するように記憶部２１に記憶されているプログラムやテーブルなどに従って、予め定める周期で、前記ＩＤカード２へ向けて、第２の送信手段である送信部２４から、後述する探索信号を送信している。それに応答してＩＤカード２からの探索返信信号が第２の受信手段である電波受信部２５において予め定める閾値以上の強度で受信されると、処理部２２は、その探索返信信号中の識別情報（以下、ＩＤと言う）を第２の記憶手段である記憶部２１に記憶されている前記照明手段３の点灯制御を許容すべきＩＤと比較し、一致する場合には、前記照明制御部２３を介して照明手段３を、そのＩＤに対応付けて予め登録されている態様で点灯および／または調光制御する。さらにまた、処理部２２は、器具間通信手段である通信部２７を通して近隣の他の照明器具との間で通信を行い、その近隣の他の照明器具にも連動して、後述するような照明手段３の点灯および／または調光制御を行わせる。こうして、全体の照明器具Ｌを統括制御する手段を設けなくても、分散している照明器具Ｌの内、最もＩＤカード２、したがって利用者に近い照明器具が主体となって、該利用者の直上だけでなく、周辺も合わせて点灯および／または調光制御を行うことができる自律分散型の照明制御システムが構築されている。
【００３６】
前記ＩＤカード２の処理部１２は、第１の受信手段である電波受信部１５で前記照明制御装置４からの探索信号を受信すると、第１の記憶手段である記憶部１１に記憶している自己のＩＤを読出し、該ＩＤを含めた前記探索返信信号を、第１の送信手段である送信部１４から前記照明制御装置４へ返信する。
【００３７】
このＩＤカード２は、前記無線タグの技術を用い、電源を搭載しておらず、前記照明制御装置４からの探索信号を受信することで前記電波受信部１５で起電力を得て、各部へ供給するが、電源を搭載するようにしてもよい。また、利用者の識別に用いる手段は、ＩＤカードに限らず、照明器具Ｌ側での受信電界強度が弱く、利用者が近くにいることを認識できるものであればよい。たとえば、工場内で使用されるＰＨＳ（パーソナルハンディフォンシステム）端末やＰＤＡ（パーソナルデータアシスタント）端末などのように、公衆回線とは異なり、多くの利用者で共通の識別情報を使用するようなものが望ましく、利用者の増加のたびに、照明器具Ｌ側で、記憶部２１に記憶しているＩＤを書込む必要がなく、煩雑な識別処理の必要のないもので、利用者によって携帯されるものが望ましい。
【００３８】
前記照明器具Ｌにおいて、送信部２４や電波受信部２５は、該照明器具Ｌに一体で設けられていなくてもよく、近傍に別途設けられていてもよい。また、照明手段３と照明制御装置４とが分離されていてもよい。ＩＤカード２との通信品質を確保したり、意匠的な点から、このように照明器具Ｌに総ての構成が一体で搭載されている必要はなく、ＩＤカード２からの探索返信信号を受信する電波受信部２５が、対を成す照明器具Ｌの近傍に設けられていればよい。
【００３９】
以下に、本実施の形態における動作の概要を説明する。
【００４０】
先ず、照明制御手段である処理部２２は、少なくとも第２の受信手段である電波受信部２５からの出力を用いて、照明器具Ｌから利用者までの距離を検出し、予め定める距離以内であれば、前記照明手段３を点灯および調光制御する。前記距離の検出は、第２の送信手段である送信部２４から前記探索信号が送信されてから、前記電波受信部２５で前記探索返信信号が受信されるまでの時間差および／または電波受信部２５で得られる前記探索返信信号の受信電界強度レベルなどから求めることができる。
【００４１】
そして、前記調光制御の態様は、該照明器具Ｌが利用者に比較的近い位置にある場合にはフル点灯し、比較的遠い位置にある場合には輝度を落とすというものである。これによって、利用者付近の照度を確保しつつ、省エネルギ化を進めるといった照明器具Ｌと利用者との距離に応じた細かな調光制御を行うことができるようになっている。
【００４２】
また、前記点灯制御の態様は、概略的には、利用者が点灯すべき制御範囲内に入ると、人感センサ２８または電波受信部２５で前記探索返信信号が受信されることで検知され、点灯を開始するが、その後、利用者の動きがなくなっても、少なくとも前記電波受信部２５で前記探索返信信号が受信されている間は点灯を継続し、前記探索返信信号が受信されなくなると、前記探索返信信号のＩＤに対応した時間だけ点灯した後、消灯するというものである。具体的には、受信されたＩＤがその部屋に所属する定常ユーザを表す場合には、該ＩＤが受信されなくなっても再び戻ってくる可能性が高いので、消灯するまでの遅延時間を長く、たとえば５分に設定することで、頻繁な点滅を防止して照明器具Ｌ側の負担を減らしたり、あるいは利用者にとって快適な（入室し易い）環境を実現し、逆に前記ＩＤが部外の者をなどの非定常ユーザを表す場合には、一時的な入室や通行などで、用件を済ますと再び戻ってくる可能性が低いので、該ＩＤが受信されなくなると、前記定常ユーザよりも短い、たとえば１分で消灯させ、前記ＩＤカードを携帯しない者の場合には、さらに短い、たとえば３０秒で消灯させ、省エネルギ化を進めるというように、前記ＩＤに対応付けて、予め設定されている態様に切換えるというものである。
【００４３】
また、処理部２２は、器具間通信手段である通信部２７を介して、近隣の他の照明器具との間で、各照明器具Ｌで受信したＩＤおよびそれに対応して行う制御内容を表す制御信号をやりとりし、得られた受信電界強度の情報から、自機が利用者に最も近い場合は自機が主機となって、前記通信部２７を通して前記近隣の他の照明器具へ、前記制御信号の１種である調光指示信号を送信して調光制御を行い、そうでない場合は従機となって、前記通信部２７を通して与えられる調光指示信号に応答して、調光制御を行う。したがって、総ての照明器具Ｌの送信部２４および電波受信部２５が利用者の携帯するＩＤカード２との間で通信が可能になる可能性は少なくても、上述のように、全体の照明器具Ｌの制御を統括する手段を設けることなく、分散している各照明器具Ｌの内、利用者に最も近い照明器具が主体となって自律分散型のネットワークを構築し、前記ＩＤを受信できた照明器具から連携して、適切に調光制御を行うことができるようになっている。
【００４４】
さらにまた、器具間通信手段である前記通信部２７は、各照明器具Ｌによる探索返信信号の受信電界強度などは、システム全体の照明器具Ｌとの間でデータのやりとり（ブロードキャスト送信）を行うが、前記調光指示信号は、隣接する照明器具との間で通信する。このため、記憶部２１には各照明器具Ｌ間の距離テーブルが格納されており、自機が利用者に最も近い場合、制御を行うべき範囲の照明器具の距離情報を含む調光指示信号を、自機の前後の照明器具から順に経由して、最終段の照明器具に伝達させる。したがって、前記のように従機となって前記調光指示信号を受信した場合、その調光指示信号の送信元と自機との距離を前記距離テーブルを参照して読出し、読出した結果を送信されてきた調光指示信号の距離情報から減算し、結果が０ではない場合、次の照明器具へ減算した距離情報を送信する。このようなパイプライン式の動作を繰返すことで、比較的狭い範囲の点灯制御の場合に好適で、各照明器具Ｌ間のトラヒックを減少させて信号の衝突が起る可能性を減少させ、通信プロトコルを細かに規定する等の前記衝突を防止するための対策を簡略化しつつも、主機からの規定の制御範囲内で、調光制御を行うことができるようになっている。また、各照明器具Ｌの記憶部２１に要するデータ容量を少なくすることができる。なお、器具台数が少ないなどの理由で、トラヒックに問題がなければ、主機となる照明器具が、直接最終段までの照明器具を制御するようにしてもよい。
【００４５】
また、処理部２２は、上述のように、伝達されてきた調光指示信号から、自機が制御範囲内であり、さらに最終段の照明器具でないと判断した場合は、次段の照明器具へ調光指示信号を伝達するが、その次段の照明器具に、ランプ切れや器具故障などが発生して、前記調光指示信号に対する応答がない場合には、自機が代理の主機となって、隣接する他の照明器具に対して、前記制御信号の１種である代理制御指示信号を、他の照明器具に向けて一斉にブロードキャスト送信し、制御範囲を拡げることで、前記ランプ切れや器具故障などの不具合に対しても、他の照明器具によって補償を行うようになっている。
【００４６】
以下に、上述の各動作について、詳述する。先ず、前記図４に示すような形状の照明器具Ｌが、図６に示すように、３行×３列のマトリクス状に配置されているものとする。各行および各列間の間隔が、たとえば２ｍの等間隔であるとき、前記記憶部２１に格納される前記距離テーブルの内容は、表１に示すようになる。
【００４７】
【表１】
2005259430.tif 000003
【００４８】
この表１は、各照明器具Ｌが主機となった場合に、直接制御する照明器具（制御対象範囲）を、すぐ隣に隣接しているものだけ（器具間距離が２ｍまで）とした例を示しており、したがって図６で示す３行×３列の場合、最も制御する台数が多い中心位置の照明器具Ｌ５でも、Ｌ２，Ｌ４，Ｌ６，Ｌ８の４台である。また、前記主機からの距離に応じて、照明制御範囲の輝度を段階的に調光制御するようにした場合の制御内容の一例を表２に示す。
【００４９】
【表２】
2005259430.tif 000004
【００５０】
この表２の例では、照明制御範囲を、たとえば６ｍとすると、主機は１００％点灯し、主機から４ｍまで（すなわち、２ｍ，４ｍ）は７０％点灯し、主機から６ｍで３０％点灯となり、それ以遠では消灯となる。ただし、器具故障によって、その故障している器具の上流（親）側となる器具から代理制御の指示があり、その故障している器具が自機の制御対象範囲にある場合には、１００％で代理点灯する。
【００５１】
図７〜図１７は、上述の動作をさらに詳しく説明するための各照明器具Ｌの点滅状態を示す図である。ここでは、説明の簡略化のために点滅状態のみで示しているが、実際には前記表２で示すように、得られた調光レベルのデータのうち、高いレベルに従って調光制御が行われる。図６で示す器具配列で、照明器具Ｌ１〜Ｌ３は、廊下５１に直線状に配列されているものとし、残余の照明器具Ｌ４〜Ｌ９は、オフィス５２内に２行×３列で配置されているものとする。オフィス５２への出入り口５３は、オフィス５２の中央に設けられており、その出入り口５３には、オフィス５２側では照明器具Ｌ５が臨み、廊下５１側では照明器具Ｌ２が臨む。また、説明を分かり易くするために、経過時間や制御時間を例示しているが、一例であることは言うまでもない。
【００５２】
先ず、図７〜図１２は、本照明制御システムの定常ユーザであり、そのオフィス５２に所属するＩＤがＣ１のＩＤカードを携帯する利用者が、照明器具Ｌ９付近に在席している状態から、出入り口５３から廊下５１を抜けて一時的に席を外す場合の点滅状態を示す図である。この経路を参照符５４で示す。一般に、人感センサ２８は、検知範囲内における温度分布の変化を検出し、変化量が一定量以上である場合に、検知範囲内で人が移動したとして、処理部２２へ通知する。通知は、検知範囲内へ人が入ってきた場合と、検知範囲から人が出て行った場合に行われる。検知範囲内へ人が入ってきた場合、処理部２２は、自機の照明手段３を点灯する。この図７では、参照符５４で示す経路を逆に入室してきた利用者を、最終的に照明器具Ｌ９の人感センサ２８が検知し、所定時間動きがなく、非検知状態となっているものとする。
【００５３】
一方、処理部２２は、送信部２４からの前記探索信号に応答して電波制御部２５で前記探索返信信号が受信されると、受信したＩＤカードのＩＤが定常ユーザであるか否かを判断し、記憶部２１の制御中ＩＤテーブルに、制御開始時点での時刻を併せて記憶し、点灯制御を開始する。この図７の例では、利用者は照明器具Ｌ９に近く、前記探索返信信号は、照明器具Ｌ６，Ｌ８，Ｌ９で受信される。この場合、照明器具Ｌ９が最高の受信電界強度を持ち、照明器具Ｌ６，Ｌ８が中程度または受信されたと判定できる閾値をかろうじて上回る程度の電界強度で受信、もしくは照明器具Ｌ９のみで前記閾値を上回り、受信することになる。残余の照明器具Ｌ１〜Ｌ５，Ｌ７は受信電界強度が前記閾値を超えるに至らない。
【００５４】
したがって、照明器具Ｌ９は、先ず人感センサ２８からの出力に応答して自機を点灯させた後、受信したＩＤと受信電界強度とを通信部２７を通じて他の照明器具と通信した結果、自機がマスターであると判断して、前記表１の距離テーブルにおける制御対象範囲内の照明器具Ｌ６，Ｌ８に前記調光指示信号を送信し、点灯させ、図７で示す状態となる。その後、一定時間毎に、記憶している制御中ＩＤ毎に探索返信信号の受信を行い、受信されなくなり、かつ人感センサ２８の検知範囲から人が出て行った場合（最終制御）、その時刻を記憶部２１に記憶して、処理部２２はそれからの経過時間を計算し、以下に示すように、ＩＤ毎に対応した時間で消灯制御を行う。
【００５５】
利用者Ｃ１が着席（静止）した状態では、一定時間毎にＩＤカード探索処理および制御中ＩＤテーブル更新処理が実施されるが、ＩＤカードがほぼ静止した状態にあるので、結果として各照明器具Ｌの点滅状態は図７で示す初期の状態のままで維持される。
【００５６】
利用者Ｃ１が前記参照符５４で示す経路で移動し、１０秒経過時点で、照明器具Ｌ６の近傍を通過するタイミングでＩＤカード探索信号発信タイミングが到来すると、次はこの照明器具Ｌ６がマスターとなって照明制御が実施される。その結果、図８で示すように、照明器具Ｌ３，Ｌ５が新たに点灯するとともに、照明器具Ｌ９はこの照明器具Ｌ６で制御され、前記制御中ＩＤテーブル更新処理が実施され、継続して点灯するが、照明器具Ｌ９によって制御されていた照明器具Ｌ８は、前回の探索タイミングを最終制御タイミングとして、１０秒が経過している。しかしながら、本実施の形態では、上述のように利用者Ｃ１は定常ユーザであるので、前記経過時間の１０秒はこの定常ユーザの遅延時間の５分以内であり、照明器具Ｌ８は点灯したままとなる。
【００５７】
さらに１０秒後、利用者Ｃ１は図９で示すように出入り口５３に到達し、照明器具Ｌ５の近傍を通過するタイミングでＩＤカード探索信号発信タイミングが到来すると、次はこの照明器具Ｌ５がマスターとなって照明制御が実施される。その結果、照明器具Ｌ２が新たに点灯するとともに、照明器具Ｌ６，Ｌ８はこの照明器具Ｌ５で制御され、前記制御中ＩＤテーブル更新処理が実施され、継続して点灯するが、照明器具Ｌ６によって制御されていた照明器具Ｌ３，Ｌ９は、前回の探索タイミングを最終制御タイミングとして、１０秒が経過しているが、点灯したままとなる。
【００５８】
さらに１０秒後、利用者Ｃ１は図１０で示すように廊下５１の出口に到達し、照明器具Ｌ１の近傍を通過するタイミングでＩＤカード探索信号発信タイミングが到来すると、次はこの照明器具Ｌ１がマスターとなって照明制御が実施される。その結果、照明器具Ｌ４が新たに点灯するとともに、照明器具Ｌ２はこの照明器具Ｌ１で制御され、前記制御中ＩＤテーブル更新処理が実施され、継続して点灯するが、照明器具Ｌ５およびこの照明器具Ｌ５によって制御されていた照明器具Ｌ６，Ｌ８は、前回の探索タイミングを最終制御タイミングとして、１０秒が経過し、点灯したままとなる。また、利用者Ｃ１が近くを通過するときにＩＤカード探索信号発信タイミングが到来しなかったために、照明器具Ｌ２はマスターとなることはなく、照明器具Ｌ３および照明器具Ｌ９は最終制御から２０秒が経過しているが、点灯したままとなる。
【００５９】
したがって、利用者Ｃ１が移動を開始してから１分が経過した時点での点灯状態は図１１で示すようになり、結果として、利用者Ｃ１に終始離れていた照明器具Ｌ７を除き、残余の照明器具Ｌ１〜Ｌ６、Ｌ８、Ｌ９は、上述の順で点灯することになる。たとえば３分後、利用者Ｃ１が図７の経路を逆に辿って戻ってくると、この時点では、まだ最終制御時点からの遅延時間内であるので、点灯状態は図１１のままである。結果的に新規の点灯制御は発生せず、照明器具の負担を軽減してランプ寿命を延ばしたり、利用者にとってオフィス５２に入り易い環境を実現することができる。前記最終制御時点から前記遅延時間の５分が経過すると、その順に消灯してゆき、図１２の全消灯状態となる。
【００６０】
次に、図１３および図１４ならびに前述の図１２は、本照明制御システムの非定常ユーザであるそのオフィス５２に所属はしないけれども、社内の者で、ＩＤがＣ２のＩＤカードを携帯する利用者が、廊下５１を参照符５５で示す経路で通過する場合の点滅状態を示す図である。利用者Ｃ２が廊下５１の入口の照明器具Ｌ３で検知されると、この照明器具Ｌ３がマスターとなって照明制御が実施される。その結果、図１３で示すように、照明器具Ｌ２，Ｌ６が点灯する。
【００６１】
１０秒後、照明器具Ｌ２の近傍を通過するタイミングでＩＤカード探索信号発信タイミングが到来すると、次はこの照明器具Ｌ２がマスターとなって照明制御が実施され、照明器具Ｌ１，Ｌ５が新たに点灯するとともに、照明器具Ｌ３はこの照明器具Ｌ２で制御され、前記制御中ＩＤテーブル更新処理が実施され、継続して点灯するが、照明器具Ｌ３によって制御されていた照明器具Ｌ６は、前回の探索タイミングを最終制御タイミングとして、１０秒が経過し、点灯したままとなる。さらに１０秒後、利用者Ｃ２は図１４で示すように廊下５１の出口に到達し、照明器具Ｌ１の近傍を通過するタイミングでＩＤカード探索信号発信タイミングが到来すると、次はこの照明器具Ｌ１がマスターとなって照明制御が実施される。その結果、照明器具Ｌ４が新たに点灯するとともに、照明器具Ｌ２はこの照明器具Ｌ１で制御され、前記制御中ＩＤテーブル更新処理が実施され、継続して点灯するが、この照明器具Ｌ２によって制御されていた照明器具Ｌ３，Ｌ５は、前回の探索タイミングを最終制御タイミングとして、１０秒が経過し、点灯したままとなる。また、照明器具Ｌ６も最終制御から２０秒が経過し、点灯したままとなる。その後、前記定常ユーザＣ１よりも短い、遅延時間の１分が経過した順に消灯してゆき、前記図１２の全消灯状態となる。こうして、一層省エネルギ化を図ることができる。
【００６２】
続いて、図１５〜図１７ならびに前述の図１２は、本照明制御システムの非定常ユーザであるＩＤカードを携帯しない全くの部外の利用者Ｃ３が、前記廊下５１を参照符５５で示す経路で通過する場合の点滅状態を示す図である。利用者Ｃ３が廊下５１の入口の照明器具Ｌ３の人感センサ２８で検知されると、この照明器具Ｌ３がマスターとなって照明制御が実施される。その結果、図１５で示すように、照明器具Ｌ２，Ｌ６が点灯する。この状態は、前述の図１３と同様である。
【００６３】
１０秒後、照明器具Ｌ２の近傍を通過すると、再び人感センサ２８で検知され、次はこの照明器具Ｌ２がマスターとなって照明制御が実施され、照明器具Ｌ１，Ｌ５が新たに点灯するが、先の照明器具Ｌ３，Ｌ６の制御はなくなり、前回の検知タイミングを最終制御タイミングとして、１０秒が経過し、点灯したままとなる。さらに１０秒後、利用者Ｃ３は図１６で示すように廊下５１の出口に到達し、照明器具Ｌ１の近傍を通過することで人感センサ２８で検知され、次はこの照明器具Ｌ１がマスターとなって、照明器具Ｌ４が新たに点灯するが、先の照明器具Ｌ２，Ｌ５の制御もなくなり、前回の検知タイミングを最終制御タイミングとして、１０秒が経過し、点灯したままとなる。このとき、照明器具Ｌ３，Ｌ６も、最終制御タイミングから２０秒が経過しているが、点灯したままとなる。
【００６４】
さらに１０秒以上が経過すると、この利用者Ｃ３の遅延時間は前記利用者Ｃ１，Ｃ２よりも短い３０秒であるので、図１７で示すように照明器具Ｌ３，Ｌ６が消灯し、照明器具Ｌ２，Ｌ５は最終制御タイミングから十数秒が経過し、点灯したままとなり、照明器具Ｌ１，Ｌ４も最終制御タイミングから数秒が経過し、点灯したままとなる。その後、３０秒近くが経過すると、前記図１２の全消灯状態となる。こうして、さらに省エネルギ化を図ることができる。
【００６５】
図１８〜図２８は、上述の動作をさらに詳しく説明するためのフローチャートである。これらの図を用いて、以下に、本実施の形態における動作を詳しく説明する。
【００６６】
先ず、図１８は前記処理部２２による照明器具Ｌの全体の制御動作を説明するものである。ステップＳ１では、電波受信部２５で、自機が直接ＩＤカード２からの探索返信信号を受信し、かつそのＩＤが前回の受信タイミングで受信されていない新規のＩＤカードのものである新規直接受信ＩＤであるか否かが判断され、探索返信信号が受信されないとき、および受信されても既に受信されているＩＤカードからの探索返信信号である場合はステップＳ０１に移る。ステップＳ０１では、人感センサ２８によって閾値以上の人の動きが検知されたか否かが判断され、検知されないときにはステップＳ２に移る。
【００６７】
ステップＳ２では、現在調光制御中のＩＤの中に、後述するような制御終了対象ＩＤがあるか否かが判断され、ない場合はステップＳ３に移り、通信部２７で他の照明器具からの信号を受信したか否かが判断され、受信されないときにはステップＳ４に移る。ステップＳ４では、送信部２４からの予め定める周期の探索信号の送信タイミングになったか否かが判断され、そうでないとき、すなわち何も変化がない場合はステップＳ０２に移り、さらに前記制御中ＩＤテーブルの更新タイミングとなったか否かが判断され、更新タイミングでない場合は前記ステップＳ１に戻って上述の処理を繰返し、何らかの変化が生じるまで待機する。
【００６８】
前記ステップＳ４で探索信号の送信タイミングになると、ステップＳ５の図１９で示すＩＤカード２の探索処理に移る。先ず、ステップＳ１１で探索信号を送信し、ステップＳ１２で探索返信信号が受信されたか否かが判断され、受信されないときにはステップＳ１３で、予め設定されている前記探索信号の送信から前記探索返信信号を待受ける待ち時間が終了したか否かが判断され、待ち時間が経過していないときには前記ステップＳ１２に戻り、探索返信信号の待受けを継続する。
【００６９】
これに対して、前記ステップＳ１２で探索返信信号が受信されると、ステップＳ１４に移り、その探索返信信号中のＩＤが、記憶部２１に記憶されている現在調光制御中のＩＤを格納した制御中ＩＤテーブル中に含まれているか否かが判断され、含まれていない場合には前記新規直接受信ＩＤとして、ステップＳ１５において前記記憶部２１に記憶され、前記ステップＳ１３に移る。前記ステップＳ１４において、受信された探索返信信号中のＩＤが前記制御中ＩＤテーブル中に含まれている場合にはステップＳ１６に移り、その制御中ＩＤテーブルにおいて、前記ＩＤに対応付けて記憶されている受信電界強度（前記電波受信部２５で測定）に対して、今回受信された探索返信信号の受信電界強度が予め定める規定値以上変化したか否かが判断され、変化している（利用者が移動している）場合は、前記ステップＳ１５に移って、そのＩＤが前記新規直接受信ＩＤとして前記記憶部２１に更新して記憶された後、前記ステップＳ１３の待ち時間判定が行われ、前記規定値以上変化していない（利用者の移動のない）場合は、前記ＩＤの更新は行われず、直接前記ステップＳ１３の待ち時間判定に移る。
【００７０】
前記ステップＳ１３で、規定の待ち時間が終了するとステップＳ１７に移り、前記制御中ＩＤテーブルから、前記新規直接受信ＩＤもしくは後述する継続制御対象ＩＤのいずれでもないＩＤを前記制御終了対象ＩＤに設定して、ＩＤカード２の探索処理を終了する。
【００７１】
一方、前記ステップＳ１において、新規直接受信ＩＤがある場合はステップＳ６に移り、自機が前記主機（マスター）となるべきか、前記従機（スレーブ）となるべきかを判定するマスター決定処理を行い、その判定の結果をステップＳ７で判断し、自機かマスターである場合はステップＳ８で能動式の照明制御処理を行って前記ステップＳ１に戻り、スレーブである場合は直接ステップＳ１に戻る。
【００７２】
図２０は、前記ステップＳ６におけるマスター決定処理を詳しく説明するためのフローチャートである。前記ステップＳ１４またはＳ１６からステップＳ１５で保存された新規直接受信ＩＤのそれぞれについて、以下の処理が行われる。ステップＳ２１では規定の単位時間だけ待機し、ステップＳ２２では他の照明器具からの受信電界強度通知信号が受信されたか否かが判断され、受信されない場合はステップＳ２３において、受信時の電界強度に対応（比例）した待機時間が経過したか否かが判断され、経過していない場合には前記ステップＳ２１に戻る。前記受信電界強度通知信号には、発信元（探索返信信号を受信した照明器具）のＩＤおよびその照明器具で受信された探索返信信号を発信したＩＤカードのＩＤに、その照明器具と利用者との距離を表す情報である受信電界強度を示す情報が少なくとも含まれている。そして、前記待機時間は、前記受信時の電界強度が高い程、短く設定される。したがって、この待機時間の間に、他の照明器具、すなわち自機よりも受信電界強度が高く、待機時間が早く終了した照明器具からの受信電界強度通知信号を待受ける。待受けた後、ステップＳ２４において、後述するようにして、同じＩＤカードからの探索返信信号を受信した照明器具間で、受信電界強度の確認処理が行われて処理を終了する。
【００７３】
前記ステップＳ２２において他の照明器具からの受信電界強度通知信号が受信されると、ステップＳ２５に移り、その受信した受信電界強度通知信号におけるＩＤカードのＩＤが現在自機で処理中の新規直接受信ＩＤと一致するか否かが判断され、一致しない場合には、ステップＳ２６で後述する別途通信内容対応処理として処理し、前記ステップＳ２３に移って待機を継続する。これに対して、受信した受信電界強度通知信号中のＩＤカードのＩＤが現在自機で処理中の新規直接受信ＩＤと一致するとステップＳ２７に移り、受信した受信電界強度通知信号が表す受信電界強度が自機の受信した受信電界強度よりも高いか否かが判断され、そうである場合（前記のように、通常、受信電界強度が高い程、待機時間が短く設定されるので、殆どのケース）は、自機がマスターの権利を持たないものと判断してステップＳ２８に移り、該当する新規直接受信ＩＤを削除し、処理を終了する。これに対して、前記ステップＳ２７において、受信した受信電界強度通知信号が表す受信電界強度が自機の受信した受信電界強度よりも低い場合、自機がマスターとなる可能性があり、前記ステップＳ２４の受信電界強度の確認処理に移る。
【００７４】
図２１は、前記ステップＳ２４における受信電界強度の確認処理を詳しく説明するためのフローチャートである。ステップＳ３１では、自機のＩＤおよび探索返信信号を受信したＩＤカードのＩＤに、受信電界強度を示す情報を含む受信電界強度通知信号を、他の照明器具に向けて一斉にブロードキャスト送信する。ステップＳ３２では、他の照明器具からの受信電界強度通知信号を受信しているか否かが判断され、受信していないとき、すなわち前記図２０において、ステップＳ２１〜Ｓ２３を繰返したときにはステップＳ３３に移り、前記待機時間が経過したか否かが判断され、経過していないときには前記ステップＳ３２に戻って処理を繰返し、経過するとステップＳ３４に移って、該当する新規直接受信ＩＤについては自機がマスターであると判断して処理を終了する。
【００７５】
一方、前記ステップＳ３２において、他の照明器具からの受信電界強度通知信号を受信している場合にはステップＳ３５に移り、受信した受信電界強度通知信号中のＩＤが現在自機で処理中の新規直接受信ＩＤと一致するか否かが判断され、一致するとステップＳ３６に移り、受信した受信電界強度通知信号が表す受信電界強度が自機の受信した受信電界強度よりも高いか否かが判断され、そうでない場合は、自機がマスターとなる可能性が高いと判断し、前記ステップＳ３３，Ｓ３２で待機した後、前記ステップＳ３４に移り、そうである場合は、自機がマスターの権利を持たないものと判断してステップＳ３７に移り、該当する新規直接受信ＩＤを削除し、処理を終了する。
【００７６】
また、前記ステップＳ３５において、受信した受信電界強度通知信号のＩＤが現在自機で処理中の新規直接受信ＩＤと一致しない場合には、ステップＳ３８で後述する別途通信内容対応処理として処理し、前記ステップＳ３３に移って待機を継続する。こうして、受信電界強度通知信号を発信した照明器具が、一定時間他の照明器具からの受信電界強度通知信号を受信しない、あるいは自機よりも高い受信電界強度を持つという応答がない場合には、自機がマスターとなって、以下に示すような調光指示信号を、前記照明制御範囲内の他の照明器具へ届くように、通信部２７を通じて順次伝送させてゆき、前記受信電界強度が最も高い照明器具以外はスレーブとなって、前記通信部２７を介して伝送されてきた調光指示信号に応答して調光制御を行う。
【００７７】
図２２は、前記ステップＳ８における能動式の照明制御処理を詳しく説明するためのフローチャートである。前記ステップＳ７で自機がマスターであると判定されると、処理部２２は、ステップＳ４１で、前記照明制御部２３を通じて照明手段３を１００％フル点灯する。さらにステップＳ４６で、自機が受信したＩＤカードのＩＤと、現在の時刻と、前記１００％の調光レベルとを、記憶部２１の前記制御中ＩＤテーブルに記憶する。
【００７８】
その後、前記表１で示すような自機の記憶部２１に保持する距離テーブルを参照し、制御対象範囲内となる各照明器具に対して、以下の処理を行う。ステップＳ４２では、前記調光指示信号を送信し、ステップＳ４３では該当する照明器具から送信した前記調光指示信号に対する調光返信信号を受信したか否かが判断され、受信した場合は処理を終了し、受信しない場合はステップＳ４４に移り、前記調光返信信号に対して予め定められる待ち時間が経過したか否かが判断され、経過していないときには前記ステップＳ４３に戻って待受けを継続する。前記ステップＳ４４において、規定の待ち時間が経過すると、該当する照明器具が故障であると判断して、ステップＳ４５において、その故障であると思われる照明器具のＩＤと、代理制御が必要であることを表す代理制御指示信号をブロードキャスト送信して処理を終了する。前記代理制御指示信号を受信した各照明器具は、代理制御が必要である照明器具のＩＤから、前記距離テーブルを参照し、自機に隣接した器具であり、制御対象範囲内であると、たとえば前記表２で示すように、代理で１００％フル点灯する。
【００７９】
前記ステップＳ３において、他の照明器具からの信号を受信した場合、および前記ステップＳ６においてマスター決定処理を行い、もしくはステップＳ２５，Ｓ３５で受信した受信電界強度通知信号のＩＤが現在自機で処理中の新規直接受信ＩＤと一致しない場合の次の処理タイミングでは、ステップＳ９に移り、図２３で示す通信内容対応処理が行われる。この通信内容対応処理では、自機はＩＤカードからの探索返信信号を受信していない状態（Ｓ１−Ｓ２−Ｓ３）または他の照明器具から受信電界強度通知信号を受信しても、自機は別のＩＤカードからの探索返信信号を受信している状態（Ｓ２５−Ｓ２６，Ｓ３５−Ｓ３８）であるので、ステップＳ５１では受信した信号は前記受信電界強度通知信号であるか否かが判断され、そうであるときにはステップＳ５２で受信した信号の内容を破棄して処理を終了し、そうでないときにはさらにステップＳ５３に移って、調光指示信号であるか否かが判断される。
【００８０】
前記ステップＳ５３において、調光指示信号である場合はステップＳ５４に移って後述する受動式の照明制御処理を行って処理を終了し、調光指示信号でない場合はさらにステップＳ５５に移って、代理制御指示信号であるか否かが判断される。代理制御指示信号である場合はステップＳ５６に移って後述する代理制御処理を行って処理を終了し、代理制御指示信号でない場合は前記ステップＳ５２で受信した信号の内容を破棄して処理を終了する。
【００８１】
図２４は、前記ステップＳ５４における受動式の照明制御処理を詳しく説明するためのフローチャートである。ステップＳ６１ａでは、受信した調光指示信号の残距離に応じて、たとえば前記表２から、調光レベルを算出する。続いてステップＳ６１ｂでは、自機が受信した調光指示信号中のＩＤカードのＩＤと、受信時刻と、前記ステップＳ６１ａで求めた調光レベルとを前記制御中ＩＤテーブルに記憶する。続いてステップＳ６１ｃでは、その制御中ＩＤテーブル中の記憶内容の内、最も高い調光レベルで、照明手段３を調光制御する。
【００８２】
その後、前記距離テーブルを参照し、受信した調光指示信号の送信元を除いた他の照明器具に対して、以下の処理をそれぞれ行う。先ず、ステップＳ６２では、前記調光指示信号の残距離から、送信元と自機との間の距離を減算して、新たな残距離を求める。ステップＳ６３では、その新たな残距離が０より小さいか否かが判断され、そうであるときには自機が前記照明制御範囲の最終段の照明器具であると判断し、他の照明器具への調光指示信号の送信を行わずに処理を終了し、そうでないときには自機が前記照明制御範囲の最終段の照明器具でない可能性があると判断し、前記ステップＳ４２〜Ｓ４５と同様に、ステップＳ６４〜Ｓ６７において、代理制御信号の場合も含めて、調光指示信号を送信する。
【００８３】
一方、図２５は、前記ステップＳ５６における代理制御処理を詳しく説明するためのフローチャートである。ステップＳ７１では、受信した代理制御指示信号による代理制御対象器具のＩＤが自機の距離テーブルの制御対象範囲内にあるか否かが判断され、範囲内にある場合にはステップＳ７２で１００％フル点灯して処理を終了し、範囲内にない場合には直接処理を終了する。
【００８４】
さらにまた、前記ステップＳ０１において、人感センサ２８によって前記一定量以上の変化が検出されると、ステップＳ０３の人感センサ対応処理を行った後、前記ステップＳ１に戻る。図２６は、前記ステップＳ０３における人感センサ対応処理を詳しく説明するためのフローチャートである。ステップＳ９１では、前記変化が検知範囲内へ人が入ってきた変化であるか否かが判断され、そうである場合はステップＳ９２に移り、照明制御部２３を通じて照明手段３を１００％フル点灯する。さらにステップＳ９３で、ＩＤカードを携帯しないユーザであることを表すフラグと、現在の時刻と、前記１００％の調光レベルとを、記憶部２１の前記制御中ＩＤテーブルに記憶する。
【００８５】
その後、前記表１で示すような自機の記憶部２１に保持する距離テーブルを参照し、制御対象範囲内（この場合は隣接する照明器具のみ）となる各照明器具に対して、前記ステップＳ４２〜Ｓ４５と同様に、ステップＳ９４〜Ｓ９７において、代理制御信号の場合も含めて、調光指示信号を送信する。
【００８６】
また、前記ステップＳ０２において、制御中ＩＤテーブルの更新タイミングとなると、ステップＳ０４の制御中ＩＤテーブルの更新処理を行った後、前記ステップＳ１に戻る。図２７は、前記ステップＳ０４における制御中ＩＤテーブルの更新処理を詳しく説明するためのフローチャートである。自機が保持する制御中ＩＤテーブル内の各要素について、それぞれ以下の処理を実行する。ステップＳ１０１では、調光制御を行うべききっかけとなったトリガＩＤに対応した遅延時間（前記５分、１分、３０秒）を確認し、ステップＳ１０２では、制御終了タイミングから前記遅延時間が経過したか否かが判断され、経過しているときにはステップＳ１０３で、そのＩＤを前記制御中ＩＤテーブルから削除してステップＳ１０４に移り、経過していないときには直接ステップＳ１０４に移る。ステップＳ１０４では、前記制御中ＩＤテーブルの記憶内容の内、最も高い調光レベルに対応して前記照明手段３を調光制御して処理を終了する。
【００８７】
さらにまた、前記ステップＳ２において、現在調光制御中のＩＤの中に、制御終了対象ＩＤがある場合はステップＳ１０に移り、自機が保持する制御終了対象ＩＤについて、図２８で示すような制御終了処理が行われる。すなわち、ステップＳ８１で、照明制御部２３を通じて照明手段３を消灯する。
【００８８】
ここで、図２９および図３０を用いて、前記ＩＤカード２からの探索返信信号の受信による具体的な調光制御動作を説明する。これらの図は、前述の図６で示す器具配列で、Ｃ１のＩＤを有するＩＤカードを携帯した利用者が、照明器具Ｌ１に最も接近して存在する場合を示している。
【００８９】
図２９は、各照明器具Ｌが正常な状態を示しており、ＩＤカードからの探索返信信号は、照明器具Ｌ１，Ｌ２，Ｌ４，Ｌ５で受信される。この場合、照明器具Ｌ１が最高の受信電界強度を持ち、照明器具Ｌ２，Ｌ４が中程度、照明器具Ｌ５が、受信されたと判定できる閾値をかろうじて上回る程度の電界強度で受信することになる。残余の照明器具Ｌ３，Ｌ６〜Ｌ９は、受信電界強度が前記閾値を超えるに至らない。
【００９０】
そして、ステップＳ２４の受信電界強度の確認処理やステップＳ６のマスター決定処理等によって、照明器具Ｌ１がマスターとなって１００％点灯するとともに、通信部２７から前記表１で示す制御対象範囲の照明器具Ｌ２，Ｌ４に、照明制御範囲を表す残距離が４ｍの調光指示信号を送信する。これによって、スレーブとなる照明器具Ｌ２，Ｌ４は、前記残距離から、前記距離テーブルを参照して、自機と照明器具Ｌ１との間の距離を減算し、その更新後の残距離が２ｍであることから、前記表２から７０％点灯するとともに、前記調光指示信号の送信元である照明器具Ｌ１を除き、隣接する照明器具Ｌ３；Ｌ５，Ｌ７に、残距離の値が２ｍの調光指示信号を転送する。これによって、それらの照明器具Ｌ３；Ｌ５，Ｌ７も３０％で点灯するけれども、そこで前記残距離の値が０ｍとなって調光指示信号の転送が行われず、残余の照明器具Ｌ６，Ｌ８，Ｌ９は消灯したままとなる。このようにして、図２９の状態となる。以降、各照明器具Ｌは定期的に探索信号を発信し、それに対するＣ１のＩＤカードからの探索返信信号の受信状態が変化しない限り、現在の調光状態を保持し続ける。
【００９１】
これに対して、図３０は、照明器具Ｌ２が故障している状態を示しており、ＩＤカードからの探索返信信号は、照明器具Ｌ１，Ｌ４，Ｌ５で受信され、前記照明器具Ｌ１がマスターとなって１００％点灯するとともに、前記調光指示信号の伝送に問題の生じなかった照明器具Ｌ４，Ｌ５，Ｌ７は、前記図２９の場合と同様に、それぞれ７０％、３０％、３０％で点灯する。しかしながら、照明器具Ｌ２からの前記調光指示信号に対する調光返信信号が受信できなかった照明器具Ｌ１は、前記ＩＤカードのＩＤのＣ１に、照明器具Ｌ２のＩＤのＩＬ２を付して、代理制御指示信号をブロードキャスト送信する。これを受信した照明器具の内、表１で示すように、照明器具Ｌ３，Ｌ５は自機の制御対象範囲内に前記照明器具Ｌ２が含まれているので、本来は前記の３０％点灯のところ、代理で１００％点灯する。残余の照明器具Ｌ４，Ｌ６，Ｌ７，Ｌ８，Ｌ９は、自機の制御対象範囲に前記照明器具Ｌ２が含まれていないので、状態は変化せず、照明器具Ｌ４，Ｌ７は、それぞれ７０％、３０％点灯のままであり、照明器具Ｌ６，Ｌ８，Ｌ９は、消灯したままである。このようにして、図３０の状態となる。
【００９２】
以上のように、本発明の照明制御システムでは、利用者の存在の有無を認識して、自動的に照明手段３の点灯および調光制御を行うにあたって、照明器具Ｌ自体またはその近傍に照明制御装置４を設け、この照明制御装置４からの探索信号に応答して、利用者が携帯するＩＤカード２が探索返信信号を返信している間は、前記照明制御装置４は照明手段３を点灯および調光制御するので、利用者の動きがなくても、また利用者が意識することなく、該利用者の存在の有無を照明器具Ｌ側で認識でき、利用者付近の比較的狭小な範囲を、適切に点灯および調光制御することができる。このようにして、利用者の位置に応じた調光を自動的に実施し、利便性の向上および省エネルギ化の両立を簡易に実現することができる。また、認識されたＩＤ（前記Ｃ１，Ｃ２）に応じて制御態様を変化するので、より適切な点灯および調光制御を行うことができる。
【００９３】
さらにまた、人感センサ２８を備え、その人感センサ２８で利用者の存在が検出されると、前記照明制御装置４は前記照明手段３を点灯するので、前記ＩＤカード２を携帯していない利用者Ｃ３が接近してきても、従来から用いられている構成と同様に、自動的に点灯制御を行うことができる。これによって、前記ＩＤカード２を携帯していない利用者Ｃ３の利便性を損なうことなく、前記ＩＤカード２を携帯している利用者Ｃ１，Ｃ２には、前記のように、意識させずに、適切な制御を行うことができるようになる。
【００９４】
また、利用者の比較的近隣にある照明器具Ｌ２が故障している中で、周囲の照明器具Ｌ３，Ｌ５がそれを補完するように点灯制御することで、利便性の低下を最低限に留めることができる。
【００９５】
なお、上述の説明では、利用者までの距離に応じて照度を制御（調光）することまで行っているけれども、点灯／消灯のみの制御だけでもよく、または常時点灯状態で、利用者が存在する場合には照度をアップする等の調光制御のみを行うようにしてもよい。
【００９６】
［実施の形態２］
図３１は、本発明の実施の他の形態に係る照明制御システムにおけるＩＤカード２ａの外観形状を示す斜視図であり、図３２は、その電気的構成を示すブロック図であり、図３３は、本発明の実施の他の形態に係る照明制御システムにおける照明器具Ｌａの外観形状を示す斜視図であり、図３４は、その照明器具Ｌａにおける照明制御装置４ａの電気的構成を示すブロック図である。これらのＩＤカード２ａおよび照明器具Ｌａは、前述の図２および図３ならびに図４および図５で示すＩＤカード２および照明器具Ｌにそれぞれ類似しており、対応する部分には同一の参照符号を付して示し、その説明を省略する。
【００９７】
注目すべきは、本実施の形態では、ＩＤカード２ａには、押釦スイッチなどから成り、利用者によって操作される操作部３１が設けられるとともに、それに対応して、記憶部１１ａは、該ＩＤカード２ａのＩＤとともに、前記定常ユーザＣ１を設定するためのモードとなるべき制御コードを記憶しており、処理部１２ａは、前記操作部３１が操作されると、前記ＩＤに前記制御コードを合わせた設定モード信号を送信することである。また、照明器具Ｌａは、発光ダイオードなどから成る動作状態表示部３２を備え、前記設定モード信号を受信すると、設定手段である処理部２２ａは、記憶部２１ａに格納されている手順に従って、前記動作状態表示部３２を点灯して前記定常ユーザ設定モードにおける状態表示を行うとともに、通信部２７を介して他の照明器具との間で送受信を行い、以下の設定を自動的に行うことである。
【００９８】
すなわち、前記設定モードでは、前記ＩＤカード２ａからの設定モード信号を受信した照明器具の内、前述のマスター決定処理によってマスターとなった照明器具からは、他の照明器具へモード移行信号がブロードキャスト送信され、これを受信した他の照明器具の処理部２２ａも一斉に設定モードとなり、前記動作状態表示部３２を点灯し、予め定める期間内で探索信号を送信し、受信した返信信号のＩＤを自機の記憶部２１ａに格納するとともに、そのＩＤを通信部２７を介して相互にやりとりし、各照明器具Ｌａで受信された総てのＩＤを、前記オフィス５２内に所属する定常ユーザＣ１として登録する。定常ユーザＣ１として登録されたＩＤについては、通常制御時に、前述のように消灯までの遅延時間を長くして制御を行う。
【００９９】
前記操作部３１は、利用者の押下によって接触する電極部と、そのカバーから構成されており、利用者がカバー部分を押下することで電極が接触し、通電するようになる。処理部１２ａがこれを定期的に読取り、電圧変化によって入力があったことを検知し、前記設定モードへモード移行する。前記操作部３１が操作されないときは、このＩＤカード２ａは、前述のＩＤカード２と同様に、探索信号に応答して探索返信信号を返信し、前述の点灯および調光制御を実現させるだけであるが、前記操作部３１が操作されると、上述のようにＩＤに制御コードを合わせた設定モード信号を送信し、照明器具Ｌａを設定モードへモード移行させる。
【０１００】
このＩＤカード２ａは、前述のように電源を備えておらず、したがって操作部３１が押下されている状態で電波受信部１５に探索信号の受信があった場合、および探索信号の受信がある状態で操作部３１が押下されると、送信部１４を通じて、前記設定モード信号を送信する。しかしながら、キャパシタなどの２次電池となる手段を備えておき、前記探索信号が受信されない状態で、操作部３１が押下されたことを記憶しておき、その後一定時間以内に電波受信部１５に探索信号の受信があった場合に、前記設定モード信号を返信する構成としてもよい。
【０１０１】
以下に、本実施の形態の設定動作の概要を説明する。
【０１０２】
図３５で示すように、前記定常ユーザＣ１として利用したいと希望する利用者Ｃ１１〜Ｃ１４が、本システムの照明器具Ｌａの検知位置にいる。うち、利用者Ｃ１１は設定モードへ移行することができる前記ＩＤカード２ａを保持している。そのＩＤカード２ａが、システム中のいずれかの照明器具Ｌａと通信可能な状態になると、探索信号に応答して返信信号を返信し、図３５の状態では、照明器具Ｌ９が最高の受信電界強度を持ち、Ｌ６，Ｌ８が中程度、Ｌ５が閾値をかろうじて上回る程度の電界強度で受信し、残余の照明器具Ｌ１〜Ｌ４，Ｌ７は、受信電界強度が閾値を超えるに至らなかったものとする。これによって、各照明器具Ｌ５，Ｌ６，Ｌ８，Ｌ９は、前述の図２０で示すマスター決定処理を行い、照明器具Ｌ９をマスターと決定し、前述のような点灯および調光制御が行われる。
【０１０３】
利用者が操作部３１を押下すると、前記設定モード信号が送信され、照明器具Ｌ９は前記制御コードを受信したことから、利用者の指示が設定モード移行であると判断し、他の照明器具Ｌ１〜Ｌ８に、設定モードへの移行指示を送信する。設定モード移行指示を受信した各照明器具Ｌ１〜Ｌ８およびこの照明器具Ｌ９は、前記動作状態表示部３２を点灯するとともに、それぞれの記憶部２１ａに保存されている定常ユーザを初期化する。あるいは、設定モード用の一時的領域を記憶部２１ａに確保してもよい。
【０１０４】
設定モードに移行した各照明器具Ｌ１〜Ｌ９は、それから一定時間の間、定常ユーザＩＤ探査処理のみを実施する。または、再度ＩＤカード２ａを保持するユーザＣ１１の操作部３１の押下によって、該ＩＤカード２ａからの探査返信信号を受信する、もしくはそれを受信した照明器具Ｌ９からの通常モード移行指示を受信するまで、前記定常ユーザＩＤ探査処理を行うようにしてもよい。そして、各照明器具Ｌ１〜Ｌ９は、前記一定時間の間に1つ以上のＩＤを受信することがある。図３６では、照明器具Ｌ５がユーザＣ１４を受信、照明器具Ｌ６がユーザＣ１２，Ｃ１４を受信、照明器具Ｌ８がユーザＣ１３を受信、照明器具Ｌ９がユーザＣ１１，Ｃ１３を受信、その他の照明器具Ｌ１〜Ｌ４，Ｌ７はＩＤを１つも受信していないものとしている。このようにして、ユーザＩＤを探査する。
【０１０５】
各照明器具Ｌ１〜Ｌ９は、設定モードに移行してから一定時間経過時点でＩＤ探査処理を終了する。その後、その時点で記憶している受信したＩＤを、定常ユーザ通知信号のデータとして設定し、システム内の他の照明器具にブロードキャスト送信する。ブロードキャスト時における信号衝突は、送信開始時刻を各照明器具のＩＤを用いて決定するなどの手法によって回避することができる。各照明器具Ｌ１〜Ｌ９は、他の照明器具から前記定常ユーザ通知信号を受信したら、信号内に設定されているデータを解析し、ＩＤカード２，２ａのＩＤを取得する。そのうち、自機がまだ定常ユーザＩＤとして記憶していないＩＤがある場合には、それを定常ユーザＩＤとして前記記憶部２１ａに記憶する。その結果、全照明器具Ｌ１〜Ｌ９のブロードキャスト通信が終了した時点では、システム中の全照明器具Ｌ１〜Ｌ９が、定常ユーザとしてＣ１１〜Ｃ１４のＩＤを記憶していることになる。このようにして、ユーザＩＤを交換する。
【０１０６】
前記定常ユーザ通知信号のブロードキャスト通信が完了した照明器具は、通常モードに復帰する。この復帰処理を、前記ブロードキャスト通信が完了した順に行うと、前述のようにブロードキャスト通信において信号衝突回避の手法をとった場合、ある照明器具は既に通常モードに復帰しているが、別の照明器具はブロードキャスト通信中または開始前という状態が起こりえるが、これは通常モードにおいても定常ユーザ通知信号を受理するようにすることで解決される。もしくは、定常ユーザ設定モード移行時にマスターとなった照明器具が、一定時間毎に定常ユーザ通知完了確認信号をブロードキャスト通信し、各照明器具はそれに対し定常ユーザ通知信号のブロードキャスト通信が完了したか、未だ終了していないかの応答を返し、マスターは全ての応答が完了を表している場合に通常モード復帰通知信号をブロードキャスト送信し、これを受信した各照明器具が通常モードに復帰する、という方法を採ってもよい。このようにして、通常モードへ復帰する。
【０１０７】
通常モードへ復帰すると、動作状態表示部３２は消灯される。これによって、利用者に定常ユーザの設定が正常に終了したことを報知する。また、正常に設定できなかった場合は、点滅させるなどして、設定の異常を利用者に通知するようにしてもよい。利用者は、各照明器具Ｌ１〜Ｌ９の動作状態表示部３２を確認し、設定をやり直したい場合には、再びＩＤカード２ａの操作部３１を押下することで、同様の設定が行われる。上述の説明では、ＩＤカード２ａからの設定モード信号を受信すると設定モードへ移行したけれども、専用のＩＤカード２ａを設けず、一部または全部の照明器具Ｌａに前述の距離設定および感度設定を行うスイッチなどを設けるようにしてもよい。
【０１０８】
図３７〜図３９は、上述の動作をさらに詳しく説明するためのフローチャートである。これらの図を用いて、以下に、本実施の形態における動作を詳しく説明する。
【０１０９】
先ず、図３７は、前記処理部２２ａによる定常ユーザ設定処理を詳しく説明するためのフローチャートである。この処理は、前述の図１８の処理において、ステップＳ１→Ｓ０１→Ｓ２→Ｓ３→Ｓ４→Ｓ０２の経路のどこかに、設定モード信号を受信したか否かの判定を挿入することで分岐して開始される。ステップＳ１１１では、ＩＤカード２，２ａへの探索信号の送信タイミングとなったか否かが判断され、そうであるときにはステップＳ１１２で後述する定常ユーザ探索処理を行った後ステップＳ１１３に移り、そうでないときには直接ステップＳ１１３に移る。ステップＳ１１３では、探索処理を開始してから予め定める探索時間が経過したか否かが判断され、経過していないときには前記ステップＳ１１１に戻って探索処理が継続して行われ、経過しているとステップＳ１１４の後述する定常ユーザＩＤ交換処理を行い、ステップＳ１１５で通常モードへ移行した後、処理を終了する。
【０１１０】
図３８は、前記ステップＳ１１２における定常ユーザ探索処理を詳しく説明するためのフローチャートである。ステップＳ１２１では、前記探索信号を送信し、ステップＳ１２２では、それに応答したＩＤカード２，２ａからの探索返信信号を受信したか否かが判断され、受信した場合にはステップＳ１２３に移ってそのＩＤを記憶部２１ａに一時記憶して前記ステップＳ１２２に戻って受信を繰返し、こうして新たな探索返信信号が受信されなくなるとステップＳ１２４に移る。ステップＳ１２４では、前記探索返信信号の規定の待受け時間が経過したか否かが判断され、経過していないときには前記ステップＳ１２２に戻って受信動作が継続して行われ、経過しているとステップＳ１２５において、前記ステップＳ１２３で一時記憶したＩＤを定常ユーザＩＤとして記憶部２１ａに記憶して、処理を終了する。
【０１１１】
図３９は、前記ステップＳ１１４における定常ユーザＩＤ交換処理を詳しく説明するためのフローチャートである。ステップＳ１３１では、前述のように信号の衝突を防止するために各照明器具に予め規定されている通知開始タイミングとなったか否かが判断され、開始タイミングとなるとステップＳ１３２に移り、前記記憶部２１ａに記憶したＩＤがあると、そのＩＤを元に、前記定常ユーザ通知信号を作成し、ブロードキャスト送信を開始した後ステップＳ１３３に移り、開始タイミングとなっていなければ、直接ステップＳ１３３に移る。ステップＳ１３３では、他の照明器具から定常ユーザ通知信号を受信したか否かが判断され、受信した場合にはステップＳ１３４に移り、その定常ユーザ通知信号中のユーザＩＤを前記記憶部２１ａに定常ユーザＩＤとして記憶した後ステップＳ１３５に移り、受信しない場合には直接ステップＳ１３５に移る。ステップＳ１３５では、前記定常ユーザＩＤの規定の通信時間が経過したか否かが判断され、経過していないときには前記ステップＳ１３１に戻って送信および／または受信動作が継続して行われ、経過しているとステップＳ１３６において、ブロードキャスト送信を終了して処理を終了する。
【０１１２】
このようにして、設定モードとなると、各ＩＤカード２，２ａのＩＤを自動的に探索し、得られたＩＤデータを各照明器具Ｌａ間で交換し、登録することで、前記ＩＤカード２，２ａを保持したユーザが検知範囲にいるだけで定常ユーザの登録が可能になり、該定常ユーザの設定を容易に行うことができる。これによって、前述の定常ユーザＣ１のグループと、非定常ユーザＣ２のグループと、ＩＤカードを保持しないユーザＣ３のグループとにグループ分けして、前述のようなグループ毎に対応した態様の制御が可能になる。また、登録すべきＩＤカード２を集めて上述の登録作業を行い、その後登録されたＩＤカード２を各利用者に配布することで、さらに登録作業を簡略化することができる。
【０１１３】
ここで、特開２００２−２８９３６９号公報には、コントローラからの特定小電力無線によって制御信号を親器具で受信し、さらに微弱無線で子器具へ転送することで、簡単な設置工事で、複数の照明器具を連動して制御できるようにした照明装置が提案されている。したがって、器具間の通信は開示されているけれども、本発明のように電界強度や距離情報を通信することによる格別の作用効果は到底期待できないものである。
【０１１４】
また、前記特開平７−１２２３６８号公報には、照明器具側の総ての受信機が応答すべきコードをリモコンから送信すると、照明器具は探索信号を送信し、リモコンがそれに応答することで、行方が分からなくなったリモコンの所在を知らせることも開示されている。
【０１１５】
したがって、探索信号は開示されているけれども、本発明のようにそれに応答した探索返信信号を利用して、利用者の真上付近の照明器具を中心とした段階的な調光を実施するという格別な作用効果も到底期待できないものである。
【図面の簡単な説明】
【０１１６】
【図１】本発明の実施の一形態に係る照明制御システムの電気的構成を示すブロック図である。
【図２】本発明の実施の一形態のＩＤカードの外観形状を示す斜視図である。
【図３】図２で示すＩＤカードの電気的構成を示すブロック図である。
【図４】本発明の実施の一形態の照明器具の外観形状を示す斜視図である。
【図５】図４で示す照明器具における照明制御装置の電気的構成を示すブロック図である。
【図６】複数の照明器具の配列の一例を示す図である。
【図７】本照明制御システムの定常ユーザであるオフィスに所属し、ＩＤカードを携帯する利用者が前記オフィスから退出する場合の照明器具の点滅状態を示す図である。
【図８】本照明制御システムの定常ユーザであるオフィスに所属し、ＩＤカードを携帯する利用者が前記オフィスから退出する場合の照明器具の点滅状態を示す図である。
【図９】本照明制御システムの定常ユーザであるオフィスに所属し、ＩＤカードを携帯する利用者が前記オフィスから退出する場合の照明器具の点滅状態を示す図である。
【図１０】本照明制御システムの定常ユーザであるオフィスに所属し、ＩＤカードを携帯する利用者が前記オフィスから退出する場合の照明器具の点滅状態を示す図である。
【図１１】本照明制御システムの定常ユーザであるオフィスに所属し、ＩＤカードを携帯する利用者が前記オフィスから退出する場合の照明器具の点滅状態を示す図である。
【図１２】本照明制御システムの定常ユーザであるオフィスに所属し、ＩＤカードを携帯する利用者が前記オフィスから退出する場合の照明器具の点滅状態を示す図である。
【図１３】本照明制御システムの非定常ユーザである前記オフィスに所属はしないけれども、ＩＤカードを携帯する利用者が廊下を通過する場合の照明器具の点滅状態を示す図である。
【図１４】本照明制御システムの非定常ユーザである前記オフィスに所属はしないけれども、ＩＤカードを携帯する利用者が廊下を通過する場合の照明器具の点滅状態を示す図である。
【図１５】本照明制御システムの非定常ユーザであるＩＤカードを携帯しない全くの部外の利用者が前記廊下を通過する場合の照明器具の点滅状態を示す図である。
【図１６】本照明制御システムの非定常ユーザであるＩＤカードを携帯しない全くの部外の利用者が前記廊下を通過する場合の照明器具の点滅状態を示す図である。
【図１７】本照明制御システムの非定常ユーザであるＩＤカードを携帯しない全くの部外の利用者が前記廊下を通過する場合の照明器具の点滅状態を示す図である。
【図１８】本発明の実施の一形態による照明器具の全体の制御動作を示すフローチャートである。
【図１９】図１８の処理におけるＩＤカードの探索処理を詳しく示すフローチャートである。
【図２０】図１８の処理におけるマスター決定処理を詳しく説明するためのフローチャートである。
【図２１】図２０の処理における受信電界強度の確認処理を詳しく説明するためのフローチャートである。
【図２２】図１８の処理における能動式の照明制御処理を詳しく説明するためのフローチャートである。
【図２３】図１８の処理における通信内容対応処理を詳しく説明するためのフローチャートである。
【図２４】図２３の処理における受動式の照明制御処理を詳しく説明するためのフローチャートである。
【図２５】図２３の処理における代理制御処理を詳しく説明するためのフローチャートである。
【図２６】図１８の処理における人感センサ対応処理を詳しく説明するためのフローチャートである。
【図２７】図１８の処理における制御中ＩＤテーブルの更新処理を詳しく説明するためのフローチャートである。
【図２８】図１８の処理における制御終了処理を詳しく説明するためのフローチャートである。
【図２９】具体的な調光制御動作を説明するための図であり、総ての照明器具が正常な場合の図である。
【図３０】具体的な調光制御動作を説明するための図であり、１台の照明器具に故障が生じている場合の図である。
【図３１】本発明の実施の他の形態のＩＤカードの外観形状を示す斜視図である。
【図３２】図３１で示すＩＤカードの電気的構成を示すブロック図である。
【図３３】本発明の実施の他の形態の照明器具の外観形状を示す斜視図である。
【図３４】図３３で示す照明器具における照明制御装置の電気的構成を示すブロック図である。
【図３５】本発明の実施の他の形態による定常ユーザの設定動作を説明するための図である。
【図３６】本発明の実施の他の形態による定常ユーザの設定動作を説明するための図である。
【図３７】図３５および図３６の定常ユーザ設定処理を詳しく説明するためのフローチャートである。
【図３８】図３７の処理における定常ユーザ設定処理を詳しく説明するためのフローチャートである。
【図３９】図３７の処理における定常ユーザＩＤ交換処理を詳しく説明するためのフローチャートである。
【符号の説明】
【０１１７】
１    通信路
２，２ａ  ＩＤカード（識別装置）
３    照明手段
４，４ａ，４ｂ    照明制御装置（受信制御手段）
１１，１１ａ    記憶部（第１の記憶手段）
１２，１２ａ    処理部
１４    送信部（第１の送信手段）
１５    電波受信部（第１の受信手段）
２１，２１ａ，２１ｂ    記憶部（第２の記憶手段）
２２，２２ａ，２２ｂ    処理部（照明制御手段）
２３    照明制御部（照明制御手段）
２４    送信部（第２の送信手段）
２５，２５ａ    電波受信部（第２の受信手段）
２７    通信部（器具間通信手段）
２８    人感センサ
３１    操作部
３２    動作状態表示部
５１    廊下
５２    オフィス
５３    出入り口
Ｌ；Ｌａ；Ｌ１〜Ｌ９    照明器具
【図１】
2005259430.tif 000005
【図２】
2005259430.tif 000006
【図３】
2005259430.tif 000007
【図４】
2005259430.tif 000008
【図５】
2005259430.tif 000009
【図６】
2005259430.tif 000010
【図７】
2005259430.tif 000011
【図８】
2005259430.tif 000012
【図９】
2005259430.tif 000013
【図１０】
2005259430.tif 000014
【図１１】
2005259430.tif 000015
【図１２】
2005259430.tif 000016
【図１３】
2005259430.tif 000017
【図１４】
2005259430.tif 000018
【図１５】
2005259430.tif 000019
【図１６】
2005259430.tif 000020
【図１７】
2005259430.tif 000021
【図１８】
2005259430.tif 000022
【図１９】
2005259430.tif 000023
【図２０】
2005259430.tif 000024
【図２１】
2005259430.tif 000025
【図２２】
2005259430.tif 000026
【図２３】
2005259430.tif 000027
【図２４】
2005259430.tif 000028
【図２５】
2005259430.tif 000029
【図２６】
2005259430.tif 000030
【図２７】
2005259430.tif 000031
【図２８】
2005259430.tif 000032
【図２９】
2005259430.tif 000033
【図３０】
2005259430.tif 000034
【図３１】
2005259430.tif 000035
【図３２】
2005259430.tif 000036
【図３３】
2005259430.tif 000037
【図３４】
2005259430.tif 000038
【図３５】
2005259430.tif 000039
【図３６】
2005259430.tif 000040
【図３７】
2005259430.tif 000041
【図３８】
2005259430.tif 000042
【図３９】
2005259430.tif 000043